(57)【要約】      （修正有）【課題】複雑な機構を必要としない連結オルゴール装置を提供する。【解決手段】回転駆動軸１０の一端１０ａは基台２の一方向から突出するように延長されている。回転駆動軸１０の他端には、前記一方向とは逆側から突出するパイプ部１２が設けられている。パイプ部１２の内径は、一端１０ａの外径よりもやや大きい。各オルゴール装置の一端を隣接するオルゴール装置のパイプ部に挿入する。オルゴール装置のパイプ部１２には、ハンドル２１が挿入されて固定される。したがって、ハンドル２１を回転させると、連結された６台のオルゴール装置の連結駆動軸が同期して回転し、これにより、楽曲が奏でられる。【選択図】図１
0003183569.tif 000002
【実用新案登録請求の範囲】
【請求項１】
楽曲に合わせて植設されたピンを有し、正転方向に回転する回転部材、
前記回転部材を基台に保持する回転軸、
前記回転するピンに弾かれて音を発する櫛歯状の振動弁を有する振動板、
前記回転部材を前記正転方向に回転させる回転駆動軸、
を備えたオルゴール装置であって、
前記回転駆動軸の一端は前記基台の一方方向に延びており、前記回転駆動軸の他端は、前記一方方向とは逆方向に延びており、前記他端には、同じ構造を有する他のオルゴール装置の回転駆動軸の一端が挿入されて、2つの回転駆動軸を同一軸線上で固持する中空部が形成されていること、
を特徴とするオルゴール装置。
【請求項２】
請求項１のオルゴール装置において、
前記回転部材には、前記楽曲のスタート位置となるピンの位置を示す開始位置マークが設けられており、
前記回転駆動軸を回転させることなく、前記回転部材を正転方向に回転させられるように、前記回転駆動軸と前記回転部材とが関係づけられていること、
を特徴とするオルゴール装置。
【請求項３】
請求項１または請求項２のオルゴール装置において、
前記回転駆動軸と前記回転軸とは直交すること、
を特徴とするオルゴール装置。
【請求項４】
請求項１〜請求項３のいずれかのオルゴール装置において、
前記回転部材は、円筒状であること、
を特徴とするオルゴール装置。
【請求項５】
請求項１〜請求項３のいずれかのオルゴール装置において、
前記回転部材は、円盤状であること、
を特徴とするオルゴール装置。
【請求項６】
請求項１〜請求項５のいずれかのオルゴール装置において、
前記中空部は、中空管および前記挿入された他のオルゴールの前記一端を固持する固持手段を有すること、
を特徴とするオルゴール装置。
【請求項７】
請求項１〜６のいずれかのオルゴール装置を、第１のオルゴール装置として、
前記第１のオルゴール装置と同一構造のオルゴール装置を第２のオルゴール装置として、
前記第１のオルゴール装置の前記一端を、前記第２のオルゴール装置の前記中空部に挿入させて固持させるとともに、
前記第１のオルゴール装置の前記他端に、その回転駆動軸を回転駆動するクランク状の回転ハンドルを挿入したこと、
を特徴とする連結オルゴール装置。
【考案の詳細な説明】
【技術分野】
【０００１】
この考案は、連結オルゴール装置に関し、特に、その連結機構に関する。
【背景技術】
【０００２】
特許文献１には、 ２つのオルゴール部を同期駆動させたオルゴール装置が開示されている。具体的には、駆動オルゴール部の駆動部に駆動側伝達歯車を設け、従動オルゴール部の駆動部に従動側伝達歯車を設け、これを伝達軸で連結するというものである（特許公報１の図２参照）。
【先行技術文献】
【特許文献】
【０００３】
【特許文献１】実用新案登録3121459号公報
【考案の概要】
【考案が解決しようとする課題】
【０００４】
しかし、上記特許文献１に記載のオルゴール装置には、以下のような問題があった。固定板の下部に上記２つの伝達歯車および伝達軸という複雑な機構が必要である。
【０００５】
この考案は、上記の問題点を解決して、複雑な機構を必要としない連結オルゴール装置を提供することを目的とする。
【課題を解決するための手段】
【０００６】
(1)本考案にかかるオルゴール装置は、楽曲に合わせて植設されたピンを有し、正転方向に回転する回転部材、前記回転部材を基台に保持する回転軸、前記回転するピンに弾かれて音を発する櫛歯状の振動弁を有する振動板、前記回転部材を前記正転方向に回転させる回転駆動軸、を備えたオルゴール装置であって、前記回転駆動軸の一端は前記基台の一方方向に延びており、前記回転駆動軸の他端は、前記一方方向とは逆方向に延びており、前記他端には、同じ構造を有する他のオルゴール装置の回転駆動軸の一端が挿入されて、2つの回転駆動軸を同一軸線上で固持する中空部が形成されていることを特徴とする。
【０００７】
したがって、複雑な機構を介することなく、複数のオルゴール装置を連結した連結オルゴール装置を提供することができる。
【０００８】
(2)本考案にかかるオルゴール装置においては、前記回転部材には、前記楽曲のスタート位置となるピンの位置を示す開始位置マークが設けられており、前記回転駆動軸を回転させることなく、前記回転部材を正転方向に回転させられるように、前記回転駆動軸と前記回転部材とが関係づけられている。したがって、各オルゴール装置を連結した後でも、各オルゴール装置の楽曲開始位置を調整することができる。
【０００９】
(3)本考案にかかるオルゴール装置においては、前記回転駆動軸と前記回転軸とは直交する。このように、前記回転軸と直交する方向に前記回転駆動軸が位置するので、その方向に各オルゴール装置を連結することができる。
【００１０】
(4)本考案にかかるオルゴール装置においては、前記回転部材は、円筒状である。したがって、回転部がシリンダ型のオルゴールを複数連結することができる。
【００１１】
(5)本考案にかかるオルゴール装置においては、前記回転部材は、円盤状である。したがって、回転部が円盤型のオルゴールを複数連結することができる。
【００１２】
(6)本考案にかかるオルゴール装置においては、前記中空部は、中空管および前記挿入された他のオルゴールの前記一端を固持する固持手段を有する。したがって、中空管に挿入された前記一端を固持することができる。
【００１３】
(7)本考案にかかる連結オルゴール装置は、前記いずれかのオルゴール装置を第１のオルゴール装置として、前記第１のオルゴール装置と同一構造のオルゴール装置を第２のオルゴール装置として、前記第１のオルゴール装置の前記一端を、前記第２のオルゴール装置の前記中空部に挿入させて固持させるとともに、前記第１のオルゴール装置の前記他端に、その回転駆動軸を回転駆動するクランク状の回転ハンドルを挿入する。したがって、複雑な機構を介することなく、複数のオルゴール装置を連結した連結オルゴール装置を提供することができる。
【００１４】
なお、本明細書において、「固持」とは、一方の回転駆動軸を回転させた場合に、同じように他方の回転同軸が回転するように、保持することをいう。
【図面の簡単な説明】
【００１５】
【図１】オルゴール装置１の側面および上面を示す図である。
【図２】オルゴール装置１を連結した連結オルゴール装置２０を示す図である。
【考案を実施するための形態】
【００１６】
（１.第１実施形態）
本考案における１実施形態について、図面を参照して説明する。図１に連結オルゴール装置を構成する個々のオルゴール装置１を示す。図１Ａはオルゴール装置１の上面図である。オルゴール装置１は、一般的な手回しオルゴールの構造とほぼ同じであり、基台２、回転部材であるドラム３、振動板５、回転駆動軸１０、円筒面３ａに設けられた複数のピン（図示せず）を有する。
【００１７】
基台２には、ドラム３が回転軸６により回転可能に保持されている。ドラム３の円筒面３ａには、楽曲に合わせて複数のピンが植設されている（図示せず）。振動板５は櫛歯状の振動弁５ａを有しており、この振動弁５ａはドラム３が矢印α方向（以下正方向という）に回転することにより円筒面３に設けられた複数のピンに弾かれて音を発する。
【００１８】
回転駆動軸１０の一端１０ａは基台２の一方向から突出するように延長されている。回転駆動軸１０の他端には、前記一方向とは逆側から突出する中空部であるパイプ部１２が設けられている。パイプ部１２の内径は、一端１０ａの外径よりもやや大きい。かかるパイプ部１２には、図１Ｃに示すハンドル２１が挿入される。挿入されたハンドル２１はネジ１３により固定される。ハンドル２１を回転させることにより回転駆動軸１０が回転し、回転駆動軸１０はドラム３を回転させる。これにより、オルゴールとして音を発する。
【００１９】
ドラム３と回転駆動軸１０の回転駆動機構は従来と同様であるが、簡単に説明する。回転駆動軸にはウォームギヤが固定されており、このウォームギヤがドラム３に固定されたウォーム歯車と噛み合っている。これにより、回転駆動軸１０を回転させると、ドラム３が回転する。なお、ドラム３には従来の手回しオルゴール装置と同様に、正転のみ行うようにラチェット機能が組み込まれている。
【００２０】
オルゴール装置１を複数連結して使用することができる。図２に、６台のオルゴール装置１ａ〜１ｆを連結させた連結オルゴール装置２０を示す。オルゴール装置１ａの一端１０ａは、オルゴール装置１ｂのパイプ部１２に挿入される。オルゴール装置１ａの一端１０ａは、ネジ１３ｂで固定される。また、オルゴール装置１ａのパイプ部１２には、ハンドル２１が挿入されて固定される。したがって、ハンドル２１を回転させると、連結された６台のオルゴール装置１ａ〜１ｆの連結駆動軸が同期して回転し、これにより、楽曲が奏でられる。
【００２１】
本実施形態においては、オルゴール装置１ａ〜１ｆのドラム３上のピンは、各オルゴール装置を同期して動かした場合に、まとまりのある楽曲となるように設けられている。
【００２２】
楽曲の開始の同期方法について説明する。既に説明したように、ドラム３には、ラチェット機能が設けられており、回転方向を正転方向に制限する。具体的には、回転駆動軸１０が回転するとドラム３も回転するが、ドラム３に設けられたラチェット機構により、回転駆動軸１０と独立して、ドラム３を正方向に回転することができる。かかる機能を用いて、複数のオルゴール装置１の回転駆動軸１０を連結した状態でも、ドラム３を任意の位置に回転セットすることができる。ドラム３には図１Ａに示すように、楽曲のスタート位置となるピンの位置を示す開始位置マーク３１が設けられている。本実施形態においては、ドラム３側に設けた開始位置マーク３１を、振動板５の先端に合わせることにより、複数のオルゴール装置１ａ〜１ｆが奏でる楽曲を同期させることができる。
【００２３】
（２.他の実施形態）
上記実施形態においては、オルゴール装置１は円筒型である場合について説明したが、円盤型であってもよい。
【００２４】
本実施形態においては、回転駆動軸１０の断面円形の軸を中空部１２に挿入して、これをネジ１３で固持することにより固持手段を構成したが、各回転駆動軸１０を連結して、回転駆動力を伝達できるものであればどのようにものでもよく、例えば、回転駆動軸１０の一端を半円形状として、中空部１２の内形状をそれに合致するようにしてもよい。
【００２５】
なお、複数のオルゴール装置を同期をさせるための機構については、限定されず、例えば、開始マークをドラムの側面ではなく、他の面に設けてもよい。
【図１】
0003183569.tif 000003
【図２】
0003183569.tif 000004
【手続補正書】
【提出日】平成25年4月4日(2013.4.4)
【手続補正１】
【補正対象書類名】図面
【補正対象項目名】図１
【補正方法】変更
【補正の内容】
【図１】
0003183569.tif 000005